(57)【要約】  ハンドル、長手方向軸を有する加熱可能な細長部材、遠位部、及び近位部を具えるヘアスタイリング装置。細長部材の近位部は、ハンドルに連結されている。本装置は、細長部材の遠位部に、使用者の髪の束を受けて保持するサイズの毛髪保持スロットを有する。又、ヘアスタイリング装置用の、毛髪保持スロットなどを具えるアタッチメントと、前記装置及び前記アタッチメントの使用方法も開示されている。【選択図】図１
2016530972.tif 000002
【特許請求の範囲】
【請求項１】
ヘアスタイリング装置が：
ａ．ハンドルと；
ｂ．遠位部及び近位部を有する細長部材であって、前記近位部が前記ハンドルに連結されている細長部材と；
ｃ．前記細長部材を加熱するヒーターと；
ｄ．前記細長部材の遠位部を通って延在する毛髪保持スロットであって、当該スロットが側壁を有しており使用者の髪の束を受け取って保持するサイズであり、前記側壁がエラストマー材料でできている毛髪保持スロットと；
ｅ．前記側壁から前記スロット内へと延在するブリストルと；
を具えることを特徴とするヘアスタイリング装置。
【請求項２】
ヘアスタイリング装置が：
ａ．ハンドルと；
ｂ．長手方向軸、遠位部、及び近位部を有する細長部材であって、前記近位部が前記ハンドルに連結されている細長部材と；
ｃ．前記細長部材を加熱するヒーターと；
ｄ．前記細長部材に近接する毛髪保持スロットであって、使用者の髪の束を受け取って保持するサイズである毛髪保持スロットと；
を具えることを特徴とするヘアスタイリング装置。
【請求項３】
請求項２に記載のヘアスタイリング装置が、前記スロットに隣接する壁を具えていることを特徴とするヘアスタイリング装置。
【請求項４】
請求項３に記載のヘアスタイリング装置において、突出物が、前記壁から前記スロット内へと延在していることを特徴とするヘアスタイリング装置。
【請求項５】
請求項４に記載のヘアスタイリング装置において、前記突出物が、ブリストルを具えることを特徴とするヘアスタイリング装置。
【請求項６】
請求項３に記載のヘアスタイリング装置において、前記壁が、エラストマー材料でできていることを特徴とするヘアスタイリング装置。
【請求項７】
請求項６に記載のヘアスタイリング装置において、前記エラストマー材料が、発泡ゴムから成ることを特徴とするヘアスタイリング装置。
【請求項８】
請求項６に記載のヘアスタイリング装置において、前記エラストマー材料が、シリコーンでできていることを特徴とするヘアスタイリング装置。
【請求項９】
請求項２に記載のヘアスタイリング装置において、前記スロットが、前記細長部材の長手方向軸に整列した長手方向軸を有することを特徴とするヘアスタイリング装置。
【請求項１０】
請求項２に記載のヘアスタイリング装置において、前記スロットが、前記細長部材の長手方向軸に整列していない長手方向軸を有することを特徴とするヘアスタイリング装置。
【請求項１１】
請求項２に記載のヘアスタイリング装置において、前記スロットが、前記細長部材に近接する近位部、反対側の遠位部、前記スロットの近位部における第１の幅、及び前記スロットの遠位部における第２の幅を有しており、前記第１の幅が前記第２の幅よりも広いことを特徴とするヘアスタイリング装置。
【請求項１２】
請求項２に記載のヘアスタイリング装置において、前記スロットが、前記細長部材に近接する近位部、反対側の遠位部、前記スロットの近位部における第１の幅、及び前記スロットの遠位部における第２の幅を有しており、前記第２の幅が前記第１の幅よりも広いことを特徴とするヘアスタイリング装置。
【請求項１３】
ヘアスタイリング装置用のアタッチメントであって、ヘアスタイリング装置に取り付ける開口を持つ第１部位を有する本体を有し、当該本体がその中に毛髪保持スロットを有している前記アタッチメントにおいて、前記本体が前記スロットに隣接している壁を有しており、前記スロットがスタイリング中に使用者の髪の束を受けて保持するためのサイズであることを特徴とするアタッチメント。
【請求項１４】
請求項１３に記載のアタッチメントにおいて、前記壁が、前記スロット内へと突出する突出物を有することを特徴とするアタッチメント。
【請求項１５】
請求項１４に記載のアタッチメントにおいて、前記突出物が、ブリストルから成ることを特徴とするアタッチメント。
【請求項１６】
請求項１３に記載のアタッチメントにおいて、前記壁が、エラストマー材料を含むことを特徴とするアタッチメント。
【請求項１７】
請求項１６に記載のアタッチメントにおいて、前記エラストマー材料が、発泡ゴムを含むことを特徴とするアタッチメント。
【請求項１８】
請求項１６に記載のアタッチメントにおいて、前記エラストマー材料が、シリコーンを含むことを特徴とするアタッチメント。
【請求項１９】
請求項２に記載のヘアスタイリング装置で使用者の髪をスタイリングする方法において：
ａ．前記ヒーターを作動させるステップと；
ｂ．使用者のスタイリングする髪の束を、前記スロット内に配置するステップと；
ｃ．前記使用者の髪の束を、前記細長部材の周りに巻き付けるステップと；
ｄ．加熱した前記細長部材で、巻き付けた前記使用者の髪の束を加熱するステップと；
ｅ．ステップ（ｄ）の後に、前記使用者の髪の束を、前記細長部材から取りはずすステップと；
を具えていることを特徴とする方法。
【請求項２０】
請求項１９に記載の方法において、前記ステップ（ｃ）の後に前記ステップ（ｂ）を行うことを特徴とする方法。
【請求項２１】
請求項１９に記載の方法において、前記ステップ（ｂ）を、前記ステップ（ａ）の前に行うことを特徴とする方法。
【請求項２２】
請求項２に記載のヘアスタイリング装置において、前記スロットが、前記細長部材の前記遠位部に近接していることを特徴とするヘアスタイリング装置。
【請求項２３】
ヘアスタイリング装置において：
ａ．ハンドルと；
ｂ．長手方向軸、遠位部、及び近位部を有する細長部材であって、前記近位部が前記ハンドルに連結されている細長部材と；
ｃ．前記細長部材を加熱するヒーターと；
ｄ．前記細長部材へのアタッチメントであって、前記アタッチメントが毛髪保持スロットを有しており、前記毛髪保持スロットが使用者の髪の束を受けて保持するサイズであるアタッチメントと；
を具えることを特徴とするヘアスタイリング装置。
【請求項２４】
請求項２３に記載のヘアスタイリング装置において、前記アタッチメントが、前記細長部材から取外し可能であることを特徴とするヘアスタイリング装置。
【請求項２５】
ヘアスタイリング装置に取外し可能に取り付けられている請求項１３に記載のアタッチメントにおいて、前記ヘアスタイリング装置が：
ａ．ハンドルと；
ｂ．長手方向軸、遠位部、及び近位部を有する細長部材であって、前記近位部が前記ハンドルに連結されている細長部材と；
ｃ．前記細長部材を加熱するヒーターと；
を具えることを特徴とするアタッチメント。
【請求項２６】
請求項２５に記載のアタッチメントを使用する方法において：
ａ）ヘアスタイリング装置の上に前記アタッチメントを取り付けるステップと；
ｂ）前記ヒーターを作動させるステップと；
ｃ）スタイリングする使用者の髪の束を、前記スロット内へ配置するステップと；
ｄ）前記使用者の髪の束を、前記細長部材の周りに巻き付けるステップと；
ｅ）加熱した前記細長部材で、巻き付けた前記使用者の髪の束を加熱するステップと；
ｆ）前記ステップ（ｅ）の後に、前記使用者の髪の束を、前記細長部材から取りはずすステップと；
を具えていることを特徴とする方法。
【請求項２７】
請求項２６に記載の方法において、前記ステップ（ｃ）の後に前記ステップ（ｂ）を行うことを特徴とする方法。
【請求項２８】
請求項２６に記載の方法において、前記ステップ（ａ）の前に前記ステップ（ｂ）を行うことを特徴とする方法。
【発明の詳細な説明】
【技術分野】
【０００１】
［関連出願の相互参照］
本出願は、２０１３年９月１７日に出願された米国仮特許出願第６１／８７８，９８７号“Ｈａｉｒ  Ｓｔｙｌｉｎｇ  Ｄｅｖｉｃｅ  Ｗｉｔｈ  Ｇｒｉｐ−Ｔｉｐ”の優先権を主張するものであり、その内容はその全体が参照によって本明細書に組み込まれている。
【背景技術】
【０００２】
多くの人が髪をカール又はスタイリングすることを望んでいる。多くの加熱したヘアスタイリング装置では、使用者は、片方の手で髪を持って、もう片方の手で装置を保持する。従って、使用者は、両手を使っており、他のことはできない。又、使用者は、加熱した面に対して髪を保持している間に、火傷をしないように手袋を着用する必要もある。
【０００３】
加熱した面に対して髪をはさむ組み込み式アームを提供することによって、これらの問題を回避する、手動及び自動のヘアスタイリング装置がある。この設計では、使用者の手は自由になる。しかし、このアームでは、使用者の髪がくしゃくしゃになることがある。これは望ましくない。更に、これは従来の装置に組み込むことができない。
【０００４】
従って、髪をくしゃくしゃにすることなく、使用者の髪を正しい位置に保持しながら髪を加熱したヘアスタイリング装置の上又は中に配置する特徴を持つ、改善されたヘアスタイリング装置が望まれている。
【発明の概要】
【０００５】
本発明は、従来のヘアスタイリング装置に関連した幾つかの欠陥、不利益、及び望ましくないパラメーターを克服する。本発明によれば、使用者は、留め具又は熱用手袋を用いることなくヘアスタイリング装置の上に又は装置に対して使用者の髪を保持することができると共に、髪をスタイリングした後にヘアスタイリング装置から髪を簡単にはずすことができる。
【０００６】
本発明は、カール用ロッドなどのヘアスタイリング装置であって、使用者の髪の束を装置の上に又は装置に対して受けて保持することのできるヘアスタイリング装置に関する。１つの実施形態において、本装置は、ハンドルと、遠位部及び近位部を有する細長部材を具える。細長部材の近位部は、ハンドルに連結されている。本装置は、また、細長部材の遠位部を通って延在する毛髪保持スロット、又は細長部材のアタッチメントであって、保持スロットを提供するアタッチメントを具える。保持スロットは側壁を有し、使用者の髪の束を受けて保持するサイズである。側壁は、好ましくは、シリコーンなどのエラストマー材料でできており、側壁から内側に延在するブリストルを有していてもよい。
【０００７】
スロットは長手方向軸を有し、この軸は細長部材の長手方向軸に整列してもよく、又、しなくてもよい。スロットは、スロット近位部に第１の幅を有し、スロット遠位部に第２の幅を有し、第１の幅は第２の幅よりも大きくても、小さくてもよい。
【０００８】
また、本発明は、上述したヘアスタイリング装置の使用方法を提供している。本装置は、まず、ヒーターを作動させて使用できる。スタイリングする使用者の髪を、スロットの中に配置する。次いで、使用者の髪を細長部材の周りに巻き付けて加熱する。一旦所望の熱量に達したならば、使用者の髪を細長部材からはずす。代替的に、最初に細長部材の周りに使用者の髪を巻き付けて、次いでスロットの中にいれてもよい。
【図面の簡単な説明】
【０００９】
これら及び他の特徴、態様、及び本発明の利点は、以下の説明、別記の特許請求項、及び添付図面を参照することで、よりよく理解できるであろう。
【００１０】
【図１】図１は、本発明の特徴を有する第１のヘアスタイリング装置の斜視図である。
【図２】図２は、図１の装置の一部の拡大図である。
【図３】図３Ａ、３Ｂ、及び３Ｃは、本ヘアスタイリング装置の代替スロット形状の斜視図を示している。
【図４】図４は、図１の装置の断面図を示している。
【図５】図５Ａは、本発明の特徴を有するアタッチメントの斜視図を示しており、このアタッチメントは加熱したヘアスタイリング装置に用いる。図５Ｂは、図５Ａの装置の一部の拡大図である。
【図６】図６Ａ、６Ｂ、６Ｃ、及び６Ｄは、本ヘアスタイリング装置の使用方法を示す斜視図である。
【図７】図７Ａ及び７Ｂは、本発明の特徴を有するヘアスタイリング装置の第２バージョンの斜視図であり、閉じた状態と開いた状態を示す。
【発明を実施するための形態】
【００１１】
［定義］
本明細書に使用される以下の用語及びそれらの変形は、その用語が用いられている文脈によって異なる意味が明確に意図されない限り、以下の意味を有する。
【００１２】
本明細書に使用される用語“ａ”、“ａｎ”、及び“ｔｈｅ”及び同様の指示対象は、それらの文脈内での使用によって他に指示されない限り、単数及び複数の両方を含むものとして解釈される。
【００１３】
本明細書に使用される用語“含む（ｃｏｍｐｒｉｓｅ）”、及び“含んでいる（ｃｏｍｐｒｉｓｉｎｇ）”及び“含む（ｃｏｍｐｒｉｓｅｓ）”などのこの用語の変形は、他の付加物、構成要素、整数成分、又はステップを除外することを意図していない。
【００１４】
用語“エラストマー（ｅｌａｓｔｏｍｅｒｉｃ）”は、圧力などのストレスがかかると折り曲げられ、そのストレスが取り除かれた時に、ほぼその元の形状へと戻る材料のことを意味する。
【００１５】
用語“細長部材（ｅｌｏｎｇａｔｅｄ  ｍｅｍｂｅｒ）”は、ロッド形状の伸張部材を言及しており、その周りに髪を巻き付けることができる。
【００１６】
用語“ヘアスタイリング装置”は、髪をスタイリングする道具を意味する。この道具は、手動又は自動のカールアイロン、フラットアイロン、インスタイラー（ＩｎＳｔｙｌｅｒ（登録商標））、又は同様のものである。
【００１７】
用語“スロット（ｓｌｏｔ）”は、幅よりも長い開口を意味する。
【００１８】
用語“取外し可能な（ｒｅｍｏｖａｂｌｙ）”は、道具を用いることなく、使用者がヘアスタイリング装置からアタッチメントを手で取り外すことのできる性能を意味する。
【００１９】
［スロットを持つヘアスタイリング装置］
本発明は、ヘアスタイリング装置１００に関し、この装置は加熱した部分に対して使用者の髪の束を保持して使用者の髪をスタイリングすることができる。このヘアスタイリング装置は、手動又は自動のカールアイロン、フラットアイロン、インスタイラー（ＩｎＳｔｙｌｅｒ（登録商標））、又は同様のものなどのいずれの装置でもよい。このような装置１００は、図１、２、３、４、５、及び６に示されているように、ハンドル１０１、細長部材１０２、及び毛髪保持スロット１１０を具える。
【００２０】
図１に見られるように、細長部材１０２は、長手方向軸、遠位部１１６、及び近位部１１８を有する。細長部材１０２の近位部１１８は、ハンドル１０１に連結されている。
【００２１】
図４に示すように、更に、本装置は、ハンドル１０１の中に、細長部材１０２の加熱用のヒーター１０８を有する。ハンドル１０１は、温度コントローラー１１４を具えていてもよい。これによって、使用者は髪質や所望のヘアスタイルに応じて様々な温度を選択することができる。
【００２２】
スロット１１０は、通常、ヘアスタイリング装置１００の細長部材１０２の遠位部１１６に、又はその近傍に位置する側壁１１２を持つ構造をしている。これによって、使用者が装置１００に対して髪１２０を適所に手で保持することなく、ヘアスタイリング装置１００の加熱部位の近くに髪１２０を保持することができる。スロット１１０が十分な横方向の張力を提供しており、髪１２０がスロット１１０から滑り出ることを防いでいる。
【００２３】
スロット１１０は、細長部材１０２に沿ってどこに配置してもよい。スロット１１０は、ハンドル１０１の近くに配置してもよいが、細長部材１０２の遠位部１１６の上に又はこの近傍に配置するのが好ましい。代替的に、スロット１１０は、細長部材１０２に対して角度を成していてもよい。代替的に、装置１００は、複数のスロット１１０を有してもよい。これらのスロット１１０は細長部材１０２に沿ってどこに設置してもよく、又、これらのスロット１１０は細長部材１０２に対して角度を成していてもよい。
【００２４】
スロット１１０は、側壁１１２によって囲まれており、使用者の髪１２０の束を受けて保持できるサイズである。図１乃至６に示されているように、側壁１１２は、対向する側壁１１２であってもよい。図２及び図５Ｂに見られるように、側壁１１２は、スロット１１０内に延在する突起２０２を支持できる。突起２０２は、例えば、ブリストル、突出物、歯、ピン、又はこれらの組み合わせなど、髪を固定できる任意の構造とすることができる。
【００２５】
スロット１１０は、円型、卵型、又は、水平断面が矩形の並行四辺形でもよい。通常、スロット１１０は、細長部材１０２内へと延在することができる。
【００２６】
代替的に、スロット１１０は、個別装置であってもよく、ヘアスタイリング装置に永久的にかつ取り外し可能に取り付けることができる。また、スロット１１０の水平断面の形は、スロット１１０の様々な部位で異なっていてもよい。従って、スロット１１０は、均一な形である必要がない。
【００２７】
図３Ａ乃至３Ｃに通して見られるように、スロット１１０は、細長部材１０２の近位側にある近位部１０６と、反対の遠位部１０４を有する。図３Ａを参照すると、遠位部１０４を近位部１０６よりも幅を広くして、スロット１１０内への髪の配置を容易にする広い開放部を提供できる。
【００２８】
図３Ｂを参照すると、代替的に、近位部１０６を遠位部１０４よりも幅を広くして、大量の髪を収容できるようにしてもよい。ここでより幅の狭い遠位部１０４が、髪がスロット１１０から滑り出ることを防ぐ。
【００２９】
図３Ｃを参照すると、代替的に、スロット１１０が一般的な砂時計形状であってもよく、遠位部１０４に幅広の開口を設けてスロット１１０内に髪を配置し、大量の髪を収容するのに幅広の近位部１０６を設けている。ここで、両近位部１０６と遠位部１０４より狭い、狭中央部１２２が、スロット１１０の近位部１０６に髪をとどめて保持する。逆に、スロット１１０の近位部１０６の第２の幅が、スロットの遠位部１０４の第１の幅よりも広くてもよい。スロット１１０の奥行き及び幅は任意であるが、通常、スロット１１０は奥行きが０．２５インチ乃至０．５インチの間であり、幅が０．１２５インチ乃至０．２５インチである。
【００３０】
側壁１１２は、耐熱性の材料で作ることが好ましい。耐熱性材料は、例えば、発泡ゴム又はシリコーンなどのエラストマー材料でもよい。
【００３１】
１つの実施形態において、スロット１１０は、細長部材１０２の長手方向軸に整列した長手方向軸を有する。別の実施形態において、スロット１１０は、細長部材１０２の長手方向軸に整列していない長手方向軸を有する。
【００３２】
図４を参照すると、ヘアスタイリング装置１００の断面図が見て取れる。ヒーター１０８は、細長部材１０２内へ延在していてもよい。ヘアスタイリング装置１００は、選択的に、タイマー１２４及びアラーム１２６を具え、使用者の髪１２０の束が加熱されて細長部材１０２の周りに巻かれている時間の量を監視すると共に、使用者の髪１２０の束を装置からはずす時間になったときにビープ音などのアラームを発生する。又、装置１００は、電力を取り込んで装置１００自体に電力を供給する電源コード４０６を具える。代替的に、装置１００は、更に温度コントローラー１１４を具えてもよい。
【００３３】
図６Ａ乃至６Ｄに示すように、本発明は上述した装置で使用者の髪をスタイリングする方法も開示している。その方法は：（ａ）ヒーター１０８を作動させるステップと、（ｂ）スタイリングする使用者の髪１２０の束の一部を、スロット１１０内に配置するステップと、（ｃ）使用者の髪１２０の束を、細長部材１０２の周りに巻き付けるステップと、（ｄ）巻き付けた使用者の髪１２０の束を、加熱した細長部材１０２で加熱するステップと、（ｅ）使用者の髪１２０の束を、細長部材１０２から取り外すステップと、を具える。使用者の髪１２０のどの部分をスロット内に配置してもよいが、通常は、スロット１１０内に配置する部位１２０は、髪の根元に近い髪の部分である。代替的に、スロット１１０内に配置する髪１２０の部分は、髪の先端部近く又は髪の中間部であってもよい。これらのステップは、異なる順番で行ってもよく、例えば、使用者の髪１２０の束を細長部材１０２に巻き付けて、次いで使用者の髪１２０の束をスロット１１０内に配置してもよい。ヒーターはプロセス中のいずれの時間にスイッチをオンにしてもよい。スロット１１０は、加熱した細長部材１０２に対して使用者の髪１２０の束を保持して、使用者が細長部材１０２に対して髪１２０を手で保持することなく、及び髪をくしゃくしゃにすることなく、カールを作ることができる。
【００３４】
使用者の髪１２０の束を所望する時間加熱したら、使用者は頭から装置を取り外すことができる。これによって、図６Ｄに示すように、使用者が使用者の髪１２０の束を装置から手でほどくあるいは外す必要なしに、使用者の髪１２０の束をスロット１１０からはずし、細長部材１０２をスライドさせて外すことができる。
【００３５】
［ヘアスタイリング装置に用いるアタッチメント］
本発明の別の実施形態は、図５Ａ及び５Ｂに示すような、ヘアスタイリング装置用のアタッチメント５０２である。このアタッチメントは、第１部位５０６と第１部位５０６の反対側にある第２部位５０８とを有する本体５０４で構成されている。第１部位５０６は開口を有しており、ヘアスタイリング装置に取り付けることができる。第２部位５０８は、側壁１１２に隣接してスロット１１０を有している。スロット１１０は、スタイリング中に使用者の髪１２０の束を受けて保持するサイズである。代替的に、スロット１１０は、アタッチメント５０２の本体５０４上のどこに配置してもよい。代替的に、アタッチメント５０２は、１つ以上のスロット１１０を有していてもよく、これらのスロット１１０は、互いに対して又はアタッチメント５０２を取り付けられるヘアスタイリング装置に対して角度を成していてもよい。
【００３６】
１つの態様において、本体５０４の側壁１１２は、図５Ｂに示すように、例えば、ブリストルなどの突出物２０２を具えている。この突出物２０２は、スロット１１０の内側に使用者の髪１２０の束を保持することを支援する。
【００３７】
アタッチメント５０２は、ヘアカーラー、フラットアイロン、又はインスタイラー（ＩｎＳｔｙｌｅｒ（登録商標））スタイリング装置などの回転アイロンなどの既存のヘアスタイリング装置に取り付けることができる。アタッチメントは、任意の手段によって、ヘアスタイリング装置に取り外し可能に取り付けてもよい。例えば、本体５０４の第１部位５０６はわずかに伸縮して、既存のヘアスタイリング装置の端部に取り付けることができ、開放したときにアタッチメントがしっかりと所定の位置にとどまるように、ヘアスタイリング装置上に取り付けられている。代替的に、アタッチメント５０２は、ヘアスタイリング装置上へ摺動させることによって、ヘアスタイリング上へねじこみによって、又はロック機構を用いてヘアスタイリング装置上の所定の位置への固定によって、取り付けることができる。
【００３８】
操作中は、使用者は、本体５０４の第１部位５０６を、ヘアスタイリング装置の端部の上に取り付ける。次いで、スロット付ヘアスタイリング装置用に、アタッチメント５０２を上述の様に使用する。
【００３９】
アタッチメント５０２は、任意の耐熱性材料で又は材料の組み合わせで作ることができる。例えば、アタッチメント５０２は、シリコーン、連続気泡発泡ゴムなど、又は独立気泡発泡ゴムなどの発泡ゴムで作ることができる。
【００４０】
［分離アイロン及びスロット付ヘアスタイリング装置］
図７Ａ及び７Ｂに示すように、第２の実施形態は、解除構造７０４付ハンドル７０２を有するヘアスタイリング装置７００を具える。ハンドル７０２は第１の細長部材７０６と第２の細長部材７０８に連結されており、これらの部材の一方又は両方が直接加熱される。第１及び第２の細長部材７０６、７０８は、ハンドル７０２の反対側に位置する遠位部と、ハンドル７０２の近位側に位置する近位部を有する。第１の細長部材７０６は、第１の細長部材７０６の遠位部に、第１の部分スロット７１０を有する。第２の細長部材７０８は、第２の細長部材７０８の遠位部に、第２の部分スロット７１２を有する。図７Ｂに見られるように、第１及び第２の細長部材７０６、７０８は、使用者が解除構造７０４を係合させることによって、ハサミの様な形に開くことができる。
【００４１】
図７Ａに見られるように、ヘアスタイリング装置が閉じた状態のときは、第１の細長部材７０６は第２の細長部材７０８の近位にある。又、閉じた状態において、第１の部分スロット７１０が第２の部分スロット７１２に近接することで、完全なスロット７１４ができる。
【００４２】
操作中は、まず、ヒーター１０８を作動させて、第１及び第２の細長部材７０６、７０８を加熱して、ヘアスタイリング装置を使用できる。次いで、使用者が、装置を保持して、解除構造７０４を係合させる。第１及び第２の細長部材７０６、７０８は、ハサミの様な形に開く。使用者が使用者の髪１２０の束を第１及び第２の細長部材７０６、７０８の間の開口に配置して解除構造７０４を解放することで、第１の細長部材７０６が、第２の細長部材７０８に近接する。次いで、使用者が、加熱した第１及び第２の細長部材７０６、７０８の周りに、自動で又は手動で髪１２０の束を巻き付ける。次いで、使用者が、髪１２０の束を、第１及び第２の部分スロット７１０、７１２でできたスロット７１４内に配置する。
【００４３】
髪１２０の束が加熱され所望のスタイル又はカールになったら、使用者は解除構造７０４を係合させて装置を頭からはずし、手で髪１２０をほどいたり又は緩めたりする必要なく、髪１２０の束をスロット７１４からはずすことができる。これによって、使用者は加熱した第１及び第２の細長部材７０６、７０８上で髪１２０の束を手で保持することなく、又は加熱した部材から髪１２０の束を手ではずすことなく、所望のカールを作り出すことができる。
【００４４】
本発明を、いくらかの好ましい実施形態に対する参照と共に、かなり詳細に説明してきたが、他の実施形態も可能である。本方法用に開示された例示用のステップは、限定する意図はなく、又、各ステップが方法に必ず必須であることを示唆する意図もなくて、むしろ単に例示的ステップである。それゆえに、付加された特徴の範囲は、本開示内に含まれる好ましい実施形態の説明に限定されるべきではない。本明細書に引用されている全ての引用文献は、それらの全体が参照によって含まれている。
【図１】
2016530972.tif 000003
【図２】
2016530972.tif 000004
【図３Ａ】
2016530972.tif 000005
【図３Ｂ】
2016530972.tif 000006
【図３Ｃ】
2016530972.tif 000007
【図４】
2016530972.tif 000008
【図５Ａ】
2016530972.tif 000009
【図５Ｂ】
2016530972.tif 000010
【図６Ａ】
2016530972.tif 000011
【図６Ｂ】
2016530972.tif 000012
【図６Ｃ】
2016530972.tif 000013
【図６Ｄ】
2016530972.tif 000014
【図７Ａ】
2016530972.tif 000015
【図７Ｂ】
2016530972.tif 000016
【国際調査報告】
2016530972.tif 000017